(57)【特許請求の範囲】
【請求項１】
風路の吹出口に複数設置されて、該吹出口から外部に送り出される風向を制御する左右風向板を備えた空気調和機において、
前記左右風向板の風上側に、前記風路内を運ばれてくる風を前記左右風向板に向かわせる補助左右風向板を備え、
複数の左右風向板は、ベースに回動自在に取り付けられ、更に前記ベースに取り付けられた各左右風向板の風上側端部が前記ベースと共にリンク機構を構成する連結部材に連結されて連動可能に構成されているとともに、前記補助左右風向板は、前記連結部材に固定されていることを特徴とする空気調和機。
【請求項２】
前記左右風向板１枚につき前記補助左右風向板を２枚配置するとともに、これら２枚の補助左右風向板は、互いの間隔が風下側に向けて狭まるよう設定したことを特徴とする請求項１記載の空気調和機。
【発明の詳細な説明】
【技術分野】
【０００１】
本発明は空気調和機、特に吹出口に左右風向板を有する空気調和機に関する。
【背景技術】
【０００２】
従来より、風路の吹出口に左右風向板を有する空気調和機、例えば左右風向板の前端側を左右方向に円弧状に変形可能となるように軟質材で構成し、この左右風向板の前端側を左右に湾曲させることで、吹出し空気の吹き出し方向を左右にスムーズに変更できるようにしたものが知られている（例えば、特許文献１参照）。
【先行技術文献】
【特許文献】
【０００３】
【特許文献１】実開平２−７６５１２号公報（第１図〜第５図）
【発明の概要】
【発明が解決しようとする課題】
【０００４】
このように、従来の空気調和機は、左右風向板の前端側を左右方向に円弧状に変形可能としているので、滑らかな円弧状にて抵抗を小さく流れを左右に曲げることが可能である。しかし、左右風向板の風流れ方向に沿う長さは一定なので、風向きの変更範囲を拡大（左右方向への吹出し風向をワイド化）するためには円弧の半径を小さくする必要が生じる。その場合、風路抵抗が大きくなってスムーズに流れなくなり、吹出し風速も上がらなくなる。このような問題は、左右風向板の後端側も軟質材で形成できるのであれば改善可能となるが、製造上難しい。
【０００５】
本発明の技術的課題は、製造が容易で、風路抵抗を大きくすることなく吹出し風向をワイド化でき、吹出し風速も上げることができるようにすることにある。
【課題を解決するための手段】
【０００６】
本発明に係る空気調和機は、風路の吹出口に複数設置されて、この吹出口から外部に送り出される風向を制御する左右風向板を備えた空気調和機において、左右風向板の風上側に、風路内を運ばれてくる風を左右風向板に向かわせる補助左右風向板を備え、複数の左右風向板は、ベースに回動自在に取り付けられ、更にベースに取り付けられた各左右風向板の風上側端部がベースと共にリンク機構を構成する連結部材に連結されて連動可能に構成されているとともに、補助左右風向板は、連結部材に固定されているものである。
【発明の効果】
【０００７】
本発明に係る空気調和機において、左右風向板の風上側に設けた補助左右風向板は、製造が容易である。また、この補助左右風向板によって、風路内を運ばれてくる風を左右風向板に向かわせることができるので、風路抵抗を大きくすることなく吹出し風向をワイド化でき、吹出し風速も上げることが可能となって、送風機の回転数が少なくても風を遠くに飛ばすことができる。
【図面の簡単な説明】
【０００８】
【図１】本発明の実施の形態に係る空気調和機の本体の全体構成を示す斜視図である。
【図２】本発明の実施の形態に係る空気調和機の本体の側面視の断面図である。
【図３】本発明の実施の形態に係る空気調和機のドレンパン組立体を示す斜視図である。
【図４】図３のＡ部である左右風向板組立体の拡大図である。
【図５】図４を下側から見た左右風向板組立体の下面図である。
【図６】本発明の実施の形態に係る空気調和機の風向板と風の流れとの関係を概略的に示す模式図である。
【発明を実施するための形態】
【０００９】
以下、本発明の実施の形態について図に基づき説明する。図１は本発明の実施の形態に係る空気調和機の本体の全体構成を示す斜視図、図２はその本体の側面視の断面図、図３はそのドレンパン組立体を示す斜視図、図４は図３のＡ部である左右風向板組立体の拡大図、図５は図４を下側から見た左右風向板組立体の下面図、図６はその風向板と風の流れとの関係を概略的に示す模式図である。
【００１０】
本実施の形態の空気調和機は、本体１が空調される部屋の壁に設置される。本体１は、図１及び図２のように本体正面と上面を覆う前面パネル１ａと、筐体側面部１ｂ、筐体背面部１ｃとで構成されている。そして、前面パネル１ａの上面部に吸込口２が形成され、さらにホコリを除塵する網目状のフィルタ３と熱交換器４を、送風機である貫流ファン５の上流側に配設している。
【００１１】
また、図２のように熱交換器４の下方に、貫流ファン５の羽根車の近傍に伸びる形状のドレンパン組立体６が設けられている。ドレンパン組立体６は、羽根車の上流側の吸込側流路Ｅ１と下流側の吹出側流路Ｅ２を分離し、羽根車から吹出口７までの吹出側流路Ｅ２の前面側を構成しており、熱交換器４から滴下される水滴を一時貯水できるような形状となっている。また、羽根車から吹出口７までの吹出側流路Ｅ２の背面側は、渦巻状のガイドウォール８で構成され、ガイドウォール８は筐体背面部１ｃと一体化されている。
【００１２】
また、図３乃至図５に示すように、吹出側流路Ｅ２の吹出口７すなわちドレンパン組立体６の下部に、複数の左右風向板１０と複数の上下風向板１１（図２）が取り付けられている。そのうち上下風向板１１は、掃除を簡単に行えるように、ドレンパン組立体６から取り外し可能に構成されている。
【００１３】
また、左右風向板１０は、それぞれベース１２に回動自在に取り付けられ、更にベース１２に取り付けられた各左右風向板１０の風上側端部がベース１２と共にリンク機構を構成する連結部材１３で互いに連結されて連動可能に構成されている。
【００１４】
また、左右風向板１０の風上側、つまり連結部材１３に、図５及び図６の如く、風路（吹出側流路Ｅ２）内を運ばれてくる風を左右風向板１０に向かわせる補助左右風向板１４が固定設置されている。補助左右風向板１４は、各左右風向板１０毎に２枚配置されている。これら２枚の補助左右風向板１４は、図５及び図６のように互いの間隔が風下側に向けて狭まるように、かつ連結部材１３における左右風向板連結部を挟むように設定されている。これにより、２枚の補助左右風向板１４の間を通過する風が、風下に位置する左右風向板１０に向かうに従って縮流し、流速が上がるようになっている。
【００１５】
なお、補助左右風向板１４は、ここではその高さ、厚さ等を左右風向板１０と同一仕様に設定し、一体射出成型により製作したものを使用している。これにより、補助左右風向板１４を製作するための金型を新たに製作する必要が無くなり、コストが上がるのを抑制することができる。
【００１６】
以上のように構成される本実施の形態の空気調和機において、前面パネル１ａ上部の吸込口２から吸込まれた空気は、熱交換器４を通過することで熱交換が行われる。その後、貫流ファン５の回転により、吹出側流路Ｅ２を経由して、吹出口７から各左右風向板１０にて制御された吹き出し方向に向かって外部に送り出される。その際、風路内を運ばれて吹出口７に向かう風は、一部が左右風向板１０の風上側に配置された２枚の補助左右風向板１４間に進入し、これらの間を通過する間に縮流効果によって流速が上がり、さらに強制的に左右風向板１０に向かわせられる。このため、従来に比し、より多くの風を左右風向板１０に沿って流すことができ、風路抵抗を大きくすることなく吹出し風向をワイド化でき、吹出し風速も上げることが可能となって、送風機の回転数が少なくても風を遠くに飛ばすことができる。逆に従来と同等の左右ワイド吹きの場合は、送風機の回転数を落とすことが可能になり、風量が減った分、熱交換量を減らすことができ、省エネルギー化が可能になる。
【００１７】
なお、前述の実施の形態では、各左右風向板１０毎に２枚の補助左右風向板１４を配置したものを例に挙げて説明したが、これに限るものでなく、例えば補助左右風向板１４は、各左右風向板１０一つ置きに設置してもよく、さらに各左右風向板１０毎に１枚の補助左右風向板１４を配置してもよいものである。このような場合でも、所期の目的を達成することができる。
【符号の説明】
【００１８】
１  空気調和機の本体、１ａ  前面パネル、１ｂ  筐体側面部、１ｃ  筐体背面部、２  吸込口、３  フィルタ、４  熱交換器、５  貫流ファン、６  ドレンパン組立体、７  吹出口、８  ガイドウォール、１０  左右風向板、１１  上下風向板、１２  ベース、１３  連結部材、１４  補助左右風向板、Ｅ１  吸込側流路（風路）、Ｅ２  吹出側流路（風路）。
【図１】
0005523262.tif 000002
【図２】
0005523262.tif 000003
【図３】
0005523262.tif 000004
【図４】
0005523262.tif 000005
【図５】
0005523262.tif 000006
【図６】
0005523262.tif 000007